(57)【要約】【課題】デバイスドライバが用意されていないＨＢＡを取り付けられたバックアップ対象装置であっても、その対象データを有効にバックアップ／リストアすることを可能とするバックアップ／リストアシステム等を提供する。【解決手段】バックアップ／リストアシステム１に接続されたバックアップ／リストア装置５が、他の装置から取得されたバックアップイメージ６ａを格納する記憶手段６と、対象マシンの停止中に共有ストレージ装置とバックアップ／リストア装置とを論理的に接続させるＳＡＮ制御部７と、共有ストレージ装置内の対象データをバックアップイメージとして記憶手段に格納するバックアップ／リストア実行部８とを有する。【選択図】図１
2014182533.tif 000002
【特許請求の範囲】
【請求項１】
対象マシンと共有ストレージ装置とがＳＡＮ（Storage Area Network）を介して接続され、前記対象マシンが前記共有ストレージ装置内に記憶された対象データによって起動されるバックアップ／リストアシステムであって、
前記ＳＡＮに、前記対象データのバックアップおよびリストアを行うバックアップ／リストア装置が接続され、
前記バックアップ／リストア装置が、
前記対象マシンの停止中に前記共有ストレージ装置と前記バックアップ／リストア装置とを論理的に接続させるＳＡＮ制御部を有すること、を特徴とするバックアップ／リストアシステム。
【請求項２】
前記バックアップ／リストア装置が、
他の装置から取得されたバックアップイメージを格納する記憶手段と、
前記共有ストレージ装置内の前記対象データを前記バックアップイメージとして前記記憶手段に格納するバックアップ／リストア実行部と
を有すること、を特徴とする請求項１に記載のバックアップ／リストアシステム。
【請求項３】
前記バックアップ／リストア装置の前記ＳＡＮ制御部が、前記ＳＡＮとは別個に設けられた管理用ネットワークを介して前記共有ストレージ装置と前記バックアップ／リストア装置とを論理的に接続させる機能を有すること、を特徴とする請求項２に記載のバックアップ／リストアシステム。
【請求項４】
前記バックアップ／リストア装置の前記ＳＡＮ制御部が、前記バックアップイメージの保存が完了した場合に前記共有ストレージ装置と前記バックアップ／リストア装置との間の論理的な接続を解除させる機能を有すること、を特徴とする請求項２に記載のバックアップ／リストアシステム。
【請求項５】
前記バックアップ／リストア装置の前記バックアップ／リストア実行部が、前記記憶手段に記憶された前記バックアップイメージを前記対象データとして前記共有ストレージ装置に復元する機能を有すること、を特徴とする請求項２に記載のバックアップ／リストアシステム。
【請求項６】
対象マシンと共有ストレージ装置とがＳＡＮ（Storage Area Network）を介して接続され、前記対象マシンが前記共有ストレージ装置内に記憶された対象データによって起動されるバックアップ／リストアシステムで、前記ＳＡＮに接続されて前記対象データのバックアップおよびリストアを行うバックアップ／リストア装置であって、
他の装置から取得されたバックアップイメージを格納する記憶手段と、
前記対象マシンの停止中に前記共有ストレージ装置と自らとを論理的に接続させるＳＡＮ制御部と、
前記共有ストレージ装置内の前記対象データを前記バックアップイメージとして前記記憶手段に格納するバックアップ／リストア実行部と
を有すること、を特徴とするバックアップ／リストア装置。
【請求項７】
対象マシンと共有ストレージ装置とがＳＡＮ（Storage Area Network）を介して接続され、前記対象マシンが前記共有ストレージ装置内に記憶された対象データによって起動されるバックアップ／リストアシステムにあって、
前記ＳＡＮに前記対象データのバックアップおよびリストアを行うバックアップ／リストア装置を接続し、
前記対象マシンの停止中に前記共有ストレージ装置と前記バックアップ／リストア装置とを前記バックアップ／リストア装置のＳＡＮ制御部が論理的に接続させ、
前記共有ストレージ装置内の前記対象データをバックアップイメージとして前記バックアップ／リストア装置のバックアップ／リストア実行部が予め備えられた記憶手段に格納し、
前記バックアップイメージの保存が完了した場合に前記共有ストレージ装置と前記バックアップ／リストア装置との間の論理的な接続を前記バックアップ／リストア装置のＳＡＮ制御部が解除させること、を特徴とするバックアップ／リストア方法。
【請求項８】
対象マシンと共有ストレージ装置とがＳＡＮ（Storage Area Network）を介して接続され、前記対象マシンが前記共有ストレージ装置内に記憶された対象データによって起動されるバックアップ／リストアシステムにあって、
前記ＳＡＮに前記対象データのバックアップおよびリストアを行うバックアップ／リストア装置が接続されていると共に、
前記バックアップ／リストア装置が備えるプロセッサに、
前記対象マシンの停止中に前記共有ストレージ装置と前記バックアップ／リストア装置とを論理的に接続させる手順、
前記共有ストレージ装置内の前記対象データをバックアップイメージとして予め備えられた記憶手段に格納する手順、
および前記バックアップイメージの保存が完了した場合に前記共有ストレージ装置と前記バックアップ／リストア装置との間の論理的な接続を解除させる手順
を実行させること、を特徴とするバックアップ／リストアプログラム。
【発明の詳細な説明】
【技術分野】
【０００１】
本発明はバックアップ／リストアシステム、装置、方法およびプログラムに関し、特にＳＡＮブート（後述）のコンピュータ装置のオフラインバックアップ／リストアを行うバックアップ／リストアシステム等に関する。
【背景技術】
【０００２】
コンピュータ装置、特に業務に使用されるデータを大量に記憶しているコンピュータ装置においては、そのデータのバックアップの必要性は言うまでもない。それに加えて、近年は情報セキュリティや危機管理などの観点から、企業において各々の部署／構成員が保有するデータを一元管理することが求められている。
【０００３】
このために導入されているのが、ＳＡＮ（Storage Area Network）と呼ばれるシステムである。従来のネットワークではサーバが個々に保有していたストレージをファイバチャネルなどのような高速接続によって共有化し、一元管理を可能とするものである。
【０００４】
その一方で、サーバの中にも内蔵ディスクドライブを持たず、ＳＡＮ上に記憶されたディスクイメージによって起動されることを前提としたものが出現している。これを「ＳＡＮブート」という。ＳＡＮブートのサーバは、通常なら内蔵ディスクドライブが配置されるスペースにもＲＡＭ（Random Access Memory）を大量に配置することができるので、特に多数台の仮想コンピュータ環境を構築する場合、あるいは（ブレードサーバなどのように）装置の占有スペースに制約がある場合などに有用である。
【０００５】
以上に関連する技術文献として、次の各々がある。特許文献１には、各クライアントとネットワークを介して接続されたサーバが、当該各クライアントの順次バックアップを取得し、そこから各クライアントのデータを復元するという技術が記載されている。特許文献２には、仮想化されたディスク領域のデータを磁気テープにバックアップし、そのデータを仮想化ディスクにリストアするという技術が記載されている。
【０００６】
特許文献３には、対象データのディレクトリ構造に基づいてバックアップを効率化するという技術が記載されている。非特許文献１にはＳＡＮの概要が記載されている。非特許文献２には（特にブレードサーバにおける）ＳＡＮブートについて記載されている。
【先行技術文献】
【特許文献】
【０００７】
【特許文献１】特開２０１２−１３３７６８号公報
【特許文献２】特開２０１０−１５２７８１号公報
【特許文献３】特開２００８−２９９４４１号公報
【非特許文献】
【０００８】
【非特許文献１】「ＳＡＮ：基礎知識：技術情報」、［平成２５年３月１５日検索］、（株）日立製作所、インターネット＜URL：http://www.hitachi.co.jp/products/it/storage-solutions/techsupport/basicknowledge/san.html＞
【非特許文献２】大神企画、「内蔵ＨＤＤは必要？不要？：ブレード活用のトレンドはＳＡＮブートか」、平成２１年３月３０日、［平成２５年３月１５日検索］、ITmedia エンタープライズ、アイティメディア（株）、インターネット＜URL：http://www.itmedia.co.jp/enterprise/articles/0903/30/news048.html＞
【発明の概要】
【発明が解決しようとする課題】
【０００９】
コンピュータ装置で使用されるデータのバックアップには、大きく分けて、オンラインバックアップ（ホットバックアップ）およびオフラインバックアップ（コールドバックアップ）という２通りの手法がある。前者は、当該装置が稼働している最中にバックアップを取得するというものであり、後者は、当該装置の停止中にバックアップを取得するというものである。ここでは、ＳＡＮブートのコンピュータ装置におけるオフラインバックアップおよびリストアを課題とする。
【００１０】
通常は、動作中のプログラムや使用中のデータについてはバックアップを取得することはできない。その点、オフラインバックアップはＯＳ（オペレーティングシステム）の静止点を確実に確保し、バックアップした状態に確実にリストアできるというメリットがある。さらに、バックアップした後でそのバックアップデータを加工することも可能であるので、たとえば圧縮や重複排除によってバックアップデータの容量を小さくすることも可能である。
【００１１】
しかしながら、オフラインバックアップでは、当該装置のＯＳを停止させた状態でハードディスクドライブやネットワーク上の共有フォルダ等にアクセスできる必要がある。そのため、バックアップ対象装置のディスクアクセスコントローラ（ＤＡＣ）もしくはホストバスアダプタ（ＨＢＡ）、およびネットワークインターフェースカード（ＮＩＣ）の種類ごとに、デバイスドライバをバックアップ／リストア装置に対してインストールすることが必要となる。
【００１２】
バックアップ／リストア装置用のデバイスドライバ自体が用意されていない場合も時々ある。しかも異なるメーカー／種類のＨＢＡが混在しているシステムでは、そのメーカー／種類ごとにＨＢＡをインストールすることが必要となる。
【００１３】
ＳＡＮにおいては、ＤＤＲ（Dynamic Data Replication）やＲＤＲ（Remote Data Replication）などのデータ複製手法が用意されているが、それらは一般的に高価な装置が必要であり、しかも複製元と複製先で同一サイズのディスクが必要である。何よりも、それらの手法は、バックアップ対象マシンのＨＢＡのデバイスドライバにまつわる上記の問題を解決するものではない。この問題点を解決しうる技術は、前述の特許文献１〜３および非特許文献１〜２にも記載されていない。
【００１４】
本発明の目的は、ＳＡＮブートのバックアップ対象装置で、当該装置がバックアップ／リストア装置用のデバイスドライバが用意されていないＨＢＡを取り付けられたものであっても、その対象データを有効にバックアップ／リストアすることを可能とするバックアップ／リストアシステム、装置、方法およびプログラムを提供することにある。
【課題を解決するための手段】
【００１５】
上記目的を達成するため、本発明に係るバックアップ／リストアシステムは、対象マシンと共有ストレージ装置とがＳＡＮ（Storage Area Network）を介して接続され、対象マシンが共有ストレージ装置内に記憶された対象データによって起動されるバックアップ／リストアシステムであって、ＳＡＮに、対象データのバックアップおよびリストアを行うバックアップ／リストア装置が接続され、バックアップ／リストア装置が、対象マシンの停止中に共有ストレージ装置とバックアップ／リストア装置とを論理的に接続させるＳＡＮ制御部を有すること、を特徴とする。
【００１６】
上記目的を達成するため、本発明に係るバックアップ／リストア装置は、対象マシンと共有ストレージ装置とがＳＡＮ（Storage Area Network）を介して接続され、対象マシンが共有ストレージ装置内に記憶された対象データによって起動されるバックアップ／リストアシステムで、ＳＡＮに接続されて対象データのバックアップおよびリストアを行うバックアップ／リストア装置であって、他の装置から取得されたバックアップイメージを格納する記憶手段と、対象マシンの停止中に共有ストレージ装置と自らとを論理的に接続させるＳＡＮ制御部と、共有ストレージ装置内の対象データをバックアップイメージとして記憶手段に格納するバックアップ／リストア実行部とを有すること、を特徴とする。
【００１７】
上記目的を達成するため、本発明に係るバックアップ／リストア方法は、対象マシンと共有ストレージ装置とがＳＡＮ（Storage Area Network）を介して接続され、対象マシンが共有ストレージ装置内に記憶された対象データによって起動されるバックアップ／リストアシステムにあって、ＳＡＮに対象データのバックアップおよびリストアを行うバックアップ／リストア装置を接続し、対象マシンの停止中に共有ストレージ装置とバックアップ／リストア装置とをバックアップ／リストア装置のＳＡＮ制御部が論理的に接続させ、共有ストレージ装置内の対象データをバックアップイメージとしてバックアップ／リストア装置のバックアップ／リストア実行部が予め備えられた記憶手段に格納し、バックアップイメージの保存が完了した場合に共有ストレージ装置とバックアップ／リストア装置との間の論理的な接続をバックアップ／リストア装置のＳＡＮ制御部が解除させること、を特徴とする。
【００１８】
上記目的を達成するため、本発明に係るバックアップ／リストアプログラムは、対象マシンと共有ストレージ装置とがＳＡＮ（Storage Area Network）を介して接続され、対象マシンが共有ストレージ装置内に記憶された対象データによって起動されるバックアップ／リストアシステムにあって、ＳＡＮに対象データのバックアップおよびリストアを行うバックアップ／リストア装置が接続されていると共に、バックアップ／リストア装置が備えるプロセッサに、対象マシンの停止中に共有ストレージ装置とバックアップ／リストア装置とを論理的に接続させる手順、共有ストレージ装置内の対象データをバックアップイメージとして予め備えられた記憶手段に格納する手順、およびバックアップイメージの保存が完了した場合に共有ストレージ装置とバックアップ／リストア装置との間の論理的な接続を解除させる手順を実行させること、を特徴とする。
【発明の効果】
【００１９】
本発明は、上記したようにＳＡＮにバックアップ／リストア装置が接続され、対象マシンの停止中に共有ストレージ装置とバックアップ／リストア装置とを論理的に接続させて対象データをバックアップするように構成した。
【００２０】
これによって、ＳＡＮブートのバックアップ対象装置で、当該装置がバックアップ／リストア装置用のデバイスドライバが用意されていないＨＢＡを取り付けられたものであっても、その対象データを有効にバックアップ／リストアすることが可能であるという、すぐれた特徴を持つバックアップ／リストアシステム、装置、方法およびプログラムを提供することができる。
【図面の簡単な説明】
【００２１】
【図１】本発明の基本形態に係るバックアップ／リストアシステムの構成について示す説明図である。
【図２】本発明の実施形態に係るバックアップ／リストアシステムの構成について示す説明図である。
【図３】図２に示したバックアップ／リストアシステムで、対象マシンが通常の運用状態にある状態について示す説明図である。
【図４】図２に示したバックアップ／リストアシステムで、対象データのバックアップ／リストアを行っている状態について示す説明図である。
【図５】図２に示したバックアップ／リストアシステムで、対象データのバックアップの動作について示すフローチャートである。
【図６】図２に示したバックアップ／リストアシステムで、対象データのリストアの動作について示すフローチャートである。
【発明を実施するための形態】
【００２２】
（基本形態）
以下、本発明の基本形態の構成について添付図１に基づいて説明する。
基本形態に係るバックアップ／リストアシステム１は、対象マシン２と共有ストレージ装置３とがＳＡＮ４（Storage Area Network）を介して接続され、対象マシン２が共有ストレージ装置３内に記憶された対象データ３ａによって起動されるバックアップ／リストアシステムである。このＳＡＮ４に対象データのバックアップおよびリストアを行うバックアップ／リストア装置５が接続され、バックアップ／リストア装置５が、対象マシンの停止中に共有ストレージ装置とバックアップ／リストア装置とを論理的に接続させるＳＡＮ制御部７を有する。かつ、他の装置から取得されたバックアップイメージ６ａを格納する記憶手段６と、共有ストレージ装置内の対象データをバックアップイメージとして記憶手段に格納するバックアップ／リストア実行部８を備える。
【００２３】
これによって、このバックアップ／リストアシステム１は、対象データ３ａを有効にバックアップ／リストアすることが可能なものとなる。
これら各部／各手段のより詳細な構成は、次の実施形態として説明する。
【００２４】
（実施形態）
続いて、本発明の実施形態の構成について添付図２に基づいて説明する。
最初に、本実施形態の基本的な内容について説明し、その後でより具体的な内容について説明する。
本実施形態に係るバックアップ／リストアシステム１００は、対象マシン２０と共有ストレージ装置３１とがＳＡＮ３０（Storage Area Network）を介して接続され、対象マシン２０が共有ストレージ装置３１内に記憶された対象データ３１ａによって起動されるバックアップ／リストアシステムである。このＳＡＮ３０に対象データのバックアップおよびリストアを行うバックアップ／リストア装置１０が接続される。ここで、バックアップ／リストア装置１０が、対象マシンの停止中に共有ストレージ装置とバックアップ／リストア装置とを論理的に接続させるＳＡＮ制御部１０１を有する。かつ、他の装置から取得されたバックアップイメージ３１ｂを格納する記憶手段１２と、共有ストレージ装置内の対象データをバックアップイメージ３１ｂとして記憶手段に格納するバックアップ／リストア実行部１０３とを備える。
【００２５】
また、バックアップ／リストア装置１０のＳＡＮ制御部１０１が、ＳＡＮとは別個に設けられた管理用ネットワーク４０を介して共有ストレージ装置３１とバックアップ／リストア装置１０とを論理的に接続させる機能を有する。
【００２６】
さらに、バックアップ／リストア装置１０のＳＡＮ制御部１０１が、バックアップイメージ３１ｂの保存が完了した場合に共有ストレージ装置３１とバックアップ／リストア装置１０との間の論理的な接続を解除させる機能を有する。
【００２７】
そして、バックアップ／リストア装置１０のバックアップ／リストア実行部１０３が、記憶手段１２に記憶されたバックアップイメージ３１ｂを対象データ３１ａとして共有ストレージ装置３１に復元する機能を有する。
【００２８】
これによって、このバックアップ／リストアシステム１００は、共有ストレージ装置３１がバックアップ／リストア装置１０用のデバイスドライバが用意されていないものであっても、その対象データ３ａを有効にバックアップ／リストアすることが可能なものとなる。
以下、これをより詳細に説明する。
【００２９】
図２は、本発明の実施形態に係るバックアップ／リストアシステム１００の構成について示す説明図である。バックアップ／リストアシステム１００は、バックアップ／リストアの対象となるサーバコンピュータである対象マシン２０と、バックアップ／リストアの動作専用に接続されたバックアップ／リストア装置１０とが、同一のＳＡＮ３０に接続されて構成される。対象マシン２０はサーバコンピュータであるので、通常の動作時はこの対象マシン２０に多数のクライアントマシンが接続されているが、本発明の動作を説明する上ではそれらクライアントマシンは特に関係しないので、図示を省略することとする。
【００３０】
バックアップ／リストア装置１０はＨＢＡ１０ａ（Host Bus Adaptor）を、対象マシン２０はＨＢＡ２０ａを介して、各々ＳＡＮ３０と接続される。ただし、バックアップ／リストア装置１０は、通常はＳＡＮ３０を介して物理的には対象マシン２０と接続されているが、論理的には接続されていない。
【００３１】
また、ＳＡＮ３０とは別個に管理用ネットワーク４０も設けられており、バックアップ／リストア装置１０はこの管理用ネットワーク４０を介してＳＡＮ３０の設定変更などを行うことができる。管理用ネットワーク４０は、通常のＬＡＮ（Local Area Network）と同一であってもよい。
【００３２】
このＳＡＮ３０には、共有ストレージ装置３１も接続されていて、この共有ストレージ装置３１に対象マシン２０のディスクイメージである対象データ３１ａが記憶されている。対象マシン２０は、対象データ３１ａによってＳＡＮブートされている。この対象データ３１ａが、バックアップ／リストア装置１０によるバックアップの対象となる。
【００３３】
バックアップ／リストア装置１０は、コンピュータプログラムを実行する主体であるプロセッサ１１と、バックアップイメージ３１ｂを格納する記憶手段１２とを備える。プロセッサ１１では、バックアップ／リストア用ＯＳが実行されることにより、ＳＡＮ制御部１０１、ＨＢＡドライバ部１０２、およびバックアップ／リストア実行部１０３として機能する。
【００３４】
ＳＡＮ制御部１０１は、管理用ネットワーク４０を介して、バックアップ／リストア装置１０と対象マシン２０との間の論理的な接続を制御する。ＨＢＡドライバ部１０２は、ＨＢＡ１０ａを動作させてＳＡＮ３０上の他の装置とのデータ交換を行うためのデバイスドライバである。
【００３５】
バックアップ／リストア実行部１０３は、実際に共有ストレージ装置３１から対象データ３１ａを吸い上げて記憶手段１２上にバックアップデータ３１ｂとして保存する。またバックアップデータ３１ｂから元の共有ストレージ装置３１上に対象データ３１ａを復元する。
【００３６】
図３は、図２に示したバックアップ／リストアシステム１００で、対象マシン２０が通常の運用状態にある状態について示す説明図である。対象マシン２０は、ＳＡＮ３０を介して共有ストレージ装置３１上の対象データ３１ａによってＳＡＮブートされて動作する。この時、バックアップ／リストア装置１０はＳＡＮ３０を介して物理的には対象マシン２０および共有ストレージ装置３１と接続されているが、論理的には接続されていない。
【００３７】
図４は、図２に示したバックアップ／リストアシステム１００で、対象データ３１ａのバックアップ／リストアを行っている状態について示す説明図である。図５は、図２に示したバックアップ／リストアシステム１００で、対象データ３１ａのバックアップの動作について示すフローチャートである。
【００３８】
このバックアップ／リストアの際には、対象マシン２０はＯＳをシャットダウンされて動作しない。そして、動作を開始したＳＡＮ制御部１０１は、管理用ネットワーク４０を介して、バックアップ／リストア装置１０と共有ストレージ装置３１とを、ＳＡＮ３０を経由して論理的に接続させる（ステップＳ２０１）。
【００３９】
即ち、対象マシン２０と共有ストレージ装置３１との間の接続が、バックアップ／リストア装置１０と共有ストレージ装置３１との間の接続につなぎ替えられたこととなる。言い換えれば、共有ストレージ装置３１上の対象データ３１ａを、バックアップ／リストア装置１０のローカルディスク上のデータとして見せるということである。この動作は、バックアップ／リストア装置１０がＳＡＮ３０と接続可能でありさえすれば、対象マシン２０のＨＢＡ２０ａのメーカーや種類などは特に関係なく行うことができる。
【００４０】
論理的接続が完了したら、バックアップ／リストア実行部１０３がＨＢＡドライバ部１０２を介して、共有ストレージ装置３１から対象データ３１ａを吸い上げて記憶手段１２上にバックアップデータ３１ｂとして保存する（ステップＳ２０２）。
【００４１】
保存が完了したら、ＳＡＮ制御部１０１が再び管理用ネットワーク４０を介して、バックアップ／リストア装置１０と対象マシン２０との間のＳＡＮ３０経由の論理的接続を解除する（ステップＳ２０３）。そして、ＳＡＮ制御部１０１が対象マシン２０を通常通りに起動させて（ステップＳ２０４）、すなわちステップＳ２０１でつなぎ替えられた接続を元に戻して動作を終了する。
【００４２】
図６は、図２に示したバックアップ／リストアシステム１００で、対象データ３１ａのリストアの動作について示すフローチャートである。この動作も、ステップＳ２０２以外は図５に示した動作と全く同一である。ただ、ステップＳ２０２のデータの流れが逆方向となって、バックアップ／リストア実行部１０３が記憶手段１２上のバックアップデータ３１ｂを吸い上げて、共有ストレージ装置３１上に対象データ３１ａとして復元する（ステップＳ３０２）という動作に変わるだけである。これ以外の各ステップについては、図５と同一の参照番号を付けて説明を割愛する。
【００４３】
（第１の実施形態の全体的な動作）
次に、上記の実施形態の全体的な動作について説明する。
本実施形態に係るバックアップ／リストア方法は、対象マシン２０と共有ストレージ装置３１とがＳＡＮ（Storage Area Network）３０を介して接続され、対象マシンが共有ストレージ装置内に記憶された対象データ３１ａによって起動されるバックアップ／リストアシステム１００にあって、ＳＡＮに対象データのバックアップおよびリストアを行うバックアップ／リストア装置１０を接続し、対象マシンの停止中に共有ストレージ装置とバックアップ／リストア装置とをバックアップ／リストア装置のＳＡＮ制御部１０１が論理的に接続させ（図５・ステップＳ２０１）、共有ストレージ装置内の対象データをバックアップイメージとしてバックアップ／リストア装置のバックアップ／リストア実行部１０３が予め備えられた記憶手段に格納し（図５・ステップＳ２０２）、バックアップイメージの保存が完了した場合に共有ストレージ装置とバックアップ／リストア装置との間の論理的な接続をバックアップ／リストア装置のＳＡＮ制御部１０１が解除させる（図５・ステップＳ２０３）。
【００４４】
ここで、上記各動作ステップについては、これをコンピュータで実行可能にプログラム化し、これらを前記各ステップを直接実行するバックアップ／リストア装置１０のプロセッサ１１に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００４５】
本実施形態によれば、バックアップ／リストア装置１０がＳＡＮ３０と接続可能でありさえすれば、対象マシン２０のＨＢＡ２０ａのメーカーや種類などは特に関係なく、対象データ３１ａのバックアップ／リストアを行うことが可能となる。従って、たとえば新規のＨＢＡでバックアップ／リストア装置向けのデバイスドライバが用意されていない場合であっても、当該対象データのバックアップ／リストアが可能である。
【００４６】
また、複製元と複製先で同一サイズのディスクを用意する必要も特にないので、記憶手段１２の容量が許す限り、いかなる容量のデータでもバックアップすることが可能となる。そして、対象マシン２０が何台あっても、またそれらのＨＢＡのデバイスドライバが異なるメーカーや種類のものであったとしても、バックアップ／リストア装置１０の側に新たなデバイスドライバをインストールする必要は特になく、全て同一の動作によってバックアップ／リストアが可能である。従って、バックアップにかかる作業者の負担は大きく軽減される。
【００４７】
バックアップ／リストア装置１０および対象マシン２０は、物理的なコンピュータ装置であっても、また仮想コンピュータであってもよい。
【００４８】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００４９】
上述した実施形態について、その新規な技術内容の要点をまとめると、以下のようになる。なお、上記実施形態の一部または全部は、新規な技術として以下のようにまとめられるが、本発明は必ずしもこれに限定されるものではない。
【００５０】
（付記１）  対象マシンと共有ストレージ装置とがＳＡＮ（Storage Area Network）を介して接続され、前記対象マシンが前記共有ストレージ装置内に記憶された対象データによって起動されるバックアップ／リストアシステムであって、
前記ＳＡＮに、前記対象データのバックアップおよびリストアを行うバックアップ／リストア装置が接続され、
前記バックアップ／リストア装置が、
前記対象マシンの停止中に前記共有ストレージ装置と前記バックアップ／リストア装置とを論理的に接続させるＳＡＮ制御部を有すること、を特徴とするバックアップ／リストアシステム。
【００５１】
（付記２）  前記バックアップ／リストア装置が、
他の装置から取得されたバックアップイメージを格納する記憶手段と、
前記共有ストレージ装置内の前記対象データを前記バックアップイメージとして前記記憶手段に格納するバックアップ／リストア実行部と
を有すること、を特徴とする付記１に記載のバックアップ／リストアシステム。
【００５２】
（付記３）  前記バックアップ／リストア装置の前記ＳＡＮ制御部が、前記ＳＡＮとは別個に設けられた管理用ネットワークを介して前記共有ストレージ装置と前記バックアップ／リストア装置とを論理的に接続させる機能を有すること、を特徴とする付記１に記載のバックアップ／リストアシステム。
【００５３】
（付記４）  前記バックアップ／リストア装置の前記ＳＡＮ制御部が、前記バックアップイメージの保存が完了した場合に前記共有ストレージ装置と前記バックアップ／リストア装置との間の論理的な接続を解除させる機能を有すること、を特徴とする付記１に記載のバックアップ／リストアシステム。
【００５４】
（付記５）  前記バックアップ／リストア装置の前記バックアップ／リストア実行部が、前記記憶手段に記憶された前記バックアップイメージを前記対象データとして前記共有ストレージ装置に復元する機能を有すること、を特徴とする付記１に記載のバックアップ／リストアシステム。
【００５５】
（付記６）  対象マシンと共有ストレージ装置とがＳＡＮ（Storage Area Network）を介して接続され、前記対象マシンが前記共有ストレージ装置内に記憶された対象データによって起動されるバックアップ／リストアシステムで、前記ＳＡＮに接続されて前記対象データのバックアップおよびリストアを行うバックアップ／リストア装置であって、
他の装置から取得されたバックアップイメージを格納する記憶手段と、
前記対象マシンの停止中に前記共有ストレージ装置と自らとを論理的に接続させるＳＡＮ制御部と、
前記共有ストレージ装置内の前記対象データを前記バックアップイメージとして前記記憶手段に格納するバックアップ／リストア実行部と
を有すること、を特徴とするバックアップ／リストア装置。
【００５６】
（付記７）  前記ＳＡＮ制御部が、前記ＳＡＮとは別個に設けられた管理用ネットワークを介して前記共有ストレージ装置と自らとを論理的に接続させる機能を有すること、を特徴とする付記６に記載のバックアップ／リストア装置。
【００５７】
（付記８）  前記ＳＡＮ制御部が、前記バックアップイメージの保存が完了した場合に前記共有ストレージ装置と自らとの間の論理的な接続を解除させる機能を有すること、を特徴とする付記６に記載のバックアップ／リストア装置。
【００５８】
（付記９）  前記バックアップ／リストア実行部が、前記記憶手段に記憶された前記バックアップイメージを前記対象データとして前記共有ストレージ装置に復元する機能を有すること、を特徴とする付記６に記載のバックアップ／リストア装置。
【００５９】
（付記１０）  対象マシンと共有ストレージ装置とがＳＡＮ（Storage Area Network）を介して接続され、前記対象マシンが前記共有ストレージ装置内に記憶された対象データによって起動されるバックアップ／リストアシステムにあって、
前記ＳＡＮに前記対象データのバックアップおよびリストアを行うバックアップ／リストア装置を接続し、
前記対象マシンの停止中に前記共有ストレージ装置と前記バックアップ／リストア装置とを前記バックアップ／リストア装置のＳＡＮ制御部が論理的に接続させ、
前記共有ストレージ装置内の前記対象データをバックアップイメージとして前記バックアップ／リストア装置のバックアップ／リストア実行部が予め備えられた記憶手段に格納し、
前記バックアップイメージの保存が完了した場合に前記共有ストレージ装置と前記バックアップ／リストア装置との間の論理的な接続を前記バックアップ／リストア装置のＳＡＮ制御部が解除させること、を特徴とするバックアップ／リストア方法。
【００６０】
（付記１１）  前記記憶手段に記憶された前記バックアップイメージを前記対象データとして前記バックアップ／リストア装置のバックアップ／リストア実行部が前記共有ストレージ装置に復元すること、を特徴とする付記１０に記載のバックアップ／リストア方法。
【００６１】
（付記１２）  対象マシンと共有ストレージ装置とがＳＡＮ（Storage Area Network）を介して接続され、前記対象マシンが前記共有ストレージ装置内に記憶された対象データによって起動されるバックアップ／リストアシステムにあって、
前記ＳＡＮに前記対象データのバックアップおよびリストアを行うバックアップ／リストア装置が接続されていると共に、
前記バックアップ／リストア装置が備えるプロセッサに、
前記対象マシンの停止中に前記共有ストレージ装置と前記バックアップ／リストア装置とを論理的に接続させる手順、
前記共有ストレージ装置内の前記対象データをバックアップイメージとして予め備えられた記憶手段に格納する手順、
および前記バックアップイメージの保存が完了した場合に前記共有ストレージ装置と前記バックアップ／リストア装置との間の論理的な接続を解除させる手順
を実行させること、を特徴とするバックアップ／リストアプログラム。
【００６２】
（付記１３）  前記記憶手段に記憶された前記バックアップイメージを前記対象データとして前記共有ストレージ装置に復元する手順を前記プロセッサにさらに実行させること、を特徴とする付記１２に記載のバックアップ／リストアプログラム。
【産業上の利用可能性】
【００６３】
ＳＡＮブートのコンピュータ装置におけるオフラインバックアップおよびリストアにおいて適用可能である。このコンピュータ装置は、物理的なものであっても仮想的なものであってもよい。
【符号の説明】
【００６４】
１、１００  バックアップ／リストアシステム
２、２０  対象マシン
３、３１  共有ストレージ装置
３ａ、３１ａ  対象データ
４、３０  ＳＡＮ（Storage Area Network）
５、１０  バックアップ／リストア装置
６、１２  記憶手段
６ａ、３１ｂ  バックアップイメージ
７、１０１  ＳＡＮ制御部
８、１０３  バックアップ／リストア実行部
１０ａ、２０ａ  ＨＢＡ（Host Bus Adaptor）
４０  管理用ネットワーク
１０２  ＨＢＡドライバ部
【図１】
2014182533.tif 000003
【図２】
2014182533.tif 000004
【図３】
2014182533.tif 000005
【図４】
2014182533.tif 000006
【図５】
2014182533.tif 000007
【図６】
2014182533.tif 000008